(57)【要約】【課題】がたつきがなく良好な操作フィーリングで、ダイヤルノブを回動操作することができるレジスタのダイヤルノブ装置を提供する。【解決手段】ダイヤルノブ装置１は、ダイヤルノブ３０が、軸受部３３及び軸受部と嵌合するノブ支軸２１を介して、リテーナ１２の一部に回動操作可能に軸支される。ノブ支軸２１は、外周面が軸受部３３と摺接する円周壁２２と、円周壁内に設けられ軸受部３３を付勢する付勢板ばね４０が収容される収容部２３と、収容部を形成する円周壁２２の一部に開口した開口部２４と、を備える。付勢板ばね４０は、保持フレーム４１と、保持フレーム４１から屈曲部４２を介して延設されたアーム部４３と、アーム部先端に軸受部３３を押圧する押圧部４４と、を備え、収容部２３に収容されて、保持フレーム４１が収容部内に係止保持され、押圧部４４が軸受部３３と接触可能に該開口部２４から外側に突出する。【選択図】図３
2017193228.tif 000002
【特許請求の範囲】
【請求項１】
ダイヤルノブが、軸受部及び該軸受部と嵌合するノブ支軸を介して、リテーナの一部に回動操作可能に軸支されるレジスタのダイヤルノブ装置において、
該軸受部が該ダイヤルノブに設けられ、該ノブ支軸が該リテーナに設けられ、
該ノブ支軸は、外周面が該軸受部と摺接する円周壁と、該円周壁内に設けられ、該軸受部を付勢する付勢板ばねが収容される収容部と、該収容部を形成する該円周壁の一部に開口した開口部と、を備え、
該付勢板ばねは、保持フレームと、該保持フレームから屈曲部を介して延設されたアーム部と、該アーム部先端に該軸受部を押圧する押圧部と、を備え、
該付勢板ばねは、該収容部に収容されて、該保持フレームが該収容部内に係止保持され、該押圧部が該軸受部と接触可能に該開口部から外側に突出する、
ことを特徴とするレジスタのダイヤルノブ装置。
【請求項２】
前記ノブ支軸には、前記円周壁の内側に区画壁が設けられ、
前記収容部が、該円周壁と該区画壁とで区画され形成されたことを特徴とする請求項１に記載のレジスタのダイヤルノブ装置。
【請求項３】
前記付勢板ばねは、前記保持フレームの外側にコの字に屈曲して延設された前記区画壁を挟持する挟持部を有し、該挟持部と該保持フレームには該区画壁に掛止される逆止爪が設けられ、
該付勢板ばねは、前記収容部に収容された状態で、該保持フレームと該挟持部とにより該区画壁が挟持され、該区画壁の両側に該逆止爪が掛止されることを特徴とする請求項２に記載のレジスタのダイヤルノブ装置。
【請求項４】
前記付勢板ばねの前記保持フレームには、前記収容部の円周壁に掛止される逆止爪が設けられ、
該付勢板ばねは、該収容部に収容され、該逆止爪が該収容部の該円周壁に掛止されることによって嵌着されていることを特徴とする請求項２に記載のレジスタのダイヤルノブ装置。
【請求項５】
前記付勢板ばねの前記保持フレームには、前記区画壁側に切起された係止爪が設けられ、
該区画壁に、該係止爪を係止させる係止爪受が設けられていることを特徴とする請求項２〜４のいずれかに記載のレジスタのダイヤルノブ装置。
【請求項６】
前記軸受部の内周面に、前記押圧部と係合するストッパー凹部が設けられていることを特徴とする請求項１〜５のいずれかに記載のレジスタのダイヤルノブ装置。
【請求項７】
前記付勢板ばねの前記アーム部は、前記保持フレームの外側から前記屈曲部を介して内側に傾斜して形成されたことを特徴とする請求項１〜６のいずれかに記載のレジスタのダイヤルノブ装置。
【発明の詳細な説明】
【技術分野】
【０００１】
本発明は、自動車室内等の換気や空調の空気吹出口に使用されるレジスタにおいて、ダンパプレート、可動ルーバ又はバレルなどを回動操作するためのレジスタのダイヤルノブ装置に関する。
【背景技術】
【０００２】
自動車用の空調用レジスタとして、風向等を調整するためにベゼル内に横可動ルーバと縦可動ルーバを配設し、その可動ルーバを設けた通風路の上流側に、送風を止め或は風量を調整するダンパプレートが開閉可能に設けられたレジスタが、使用されている。
【０００３】
このレジスタで使用されるダンパ機構は、通風路内にダンパプレートが軸支されると共に、手動操作用のダイヤルノブがリテーナの前面側部に枢支され、そのダイヤルノブの後部に設けた歯車に、ダンパアームが連係してダンパプレートの軸に連結され、ダイヤルノブの操作によりダンパプレートを回動させて、送風を止め或は風量を調整するように構成されている。
【０００４】
ところで、手動操作によりダイヤルノブを操作してダンパプレートを回動させる場合、あまり軽く動き過ぎると、任意の位置で止めにくい等の操作性の悪さがあり、また、風圧や振動によりダンパプレートが自然に回動してしまう不具合がある。
【０００５】
このような不具合を解消するために、ダイヤルノブの支軸を軸支する軸受部に、操作荷重付与部材を嵌着し、ダイヤルノブの回動操作時に、操作荷重付与部材と支軸間の摩擦抵抗により、操作荷重を付与するようにしたレジスタが、下記特許文献１などで知られている。
【０００６】
このレジスタは、ダイヤルノブのノブ本体に円弧状の表皮保持部が形成され、表皮保持部には軟質合成樹脂製の軟質表皮部が被覆して取着され、ノブ本体を回動可能に軸支するノブ支持軸を嵌入するための軸受部がノブ本体に設けられ、軸受部には操作荷重付与部を収容するための収容部が形成され、収容部には軟質表皮部と一体に軟質合成樹脂製の操作荷重付与部が配設される。
【０００７】
また、本出願人は、下記特許文献２において、ダイヤルノブを枢支するノブ支軸の近傍に、凸部を有する板ばね部材を取り付け、ダイヤルノブの軸受部の円周壁部に、その凸部を接触させる構造のダイヤルノブ装置を提案した。
【０００８】
このダイヤルノブ装置は、板ばね部材に加え、ダイヤルノブの軸受部の収容部に、軸孔を有した高分子弾性体の操作荷重付与部材を収容し、ノブ支軸に操作荷重付与部材の軸孔を嵌入させ、ダイヤルノブの回動操作時には、操作荷重付与部材とノブ支軸との摩擦抵抗及び板ばね部材の凸部と軸受部の円周壁部の周面との摩擦抵抗により、適度な操作荷重を生じさせ、良好な操作フィーリングでダイヤルノブを回動操作することができる。
【先行技術文献】
【特許文献】
【０００９】
【特許文献１】特開２００９−１４３４２２号公報
【特許文献２】実用新案登録第３１８９７４５号公報
【発明の概要】
【発明が解決しようとする課題】
【００１０】
しかしながら、図２０に示すように、上記板ばね部材９０は、ばね収容部９１への取付けを容易にするため、板ばね部材９０とばね収容部９１との間に隙間が設けられている。また、板ばね部材９０は、金属板が複数個所を曲げられて成形され、支点が固定されない状態で、ばね収容部９１に収容されている。このため、板ばね部材９０は、ダイヤルノブの回動操作時に受ける応力により弾性変形して撓み易いものとなっている。板ばね部材９０が撓むと、板ばね部材９０とばね収容部９１との間の隙間が拡大し、この隙間の範囲で板ばね部材９０が移動する。つまり、ダイヤルノブは、回動操作の初動時に、板ばね部材９０が撓むことによって、ばね収容部９１との間の隙間が拡大し、この隙間の範囲で板ばね部材９０が移動する、遊び（がたつき）が発生することになる。このため、上記ダイヤルノブは、回動操作の初動時にがたつきが発生することによって、ダイヤルノブの操作フィーリングが阻害されてしまうという課題があった。
【００１１】
本発明は、上述の課題を解決するものであり、ダイヤルノブの回動操作時の操作フィーリングを改善することができるレジスタのダイヤルノブ装置を提供することを目的とする。
【課題を解決するための手段】
【００１２】
本発明に係るレジスタのダイヤルノブ装置は、ダイヤルノブが、軸受部及び該軸受部と嵌合するノブ支軸を介して、リテーナの一部に回動操作可能に軸支されるレジスタのダイヤルノブ装置において、
該軸受部が該ダイヤルノブに設けられ、該ノブ支軸が該リテーナに設けられ、
該ノブ支軸は、外周面が該軸受部と摺接する円周壁と、該円周壁内に設けられ、該軸受部を付勢する付勢板ばねが収容される収容部と、該収容部を形成する該円周壁の一部に開口した開口部と、を備え、
該付勢板ばねは、保持フレームと、該保持フレームから屈曲部を介して延設されたアーム部と、該アーム部先端に該軸受部を押圧する押圧部と、を備え、
該付勢板ばねは、該収容部に収容されて、該保持フレームが該収容部内に係止保持され、該押圧部が該軸受部と接触可能に該開口部から外側に突出する、
ことを特徴とする。
【００１３】
この発明のダイヤルノブ装置によれば、付勢板ばねは、収容部に収容され、付勢板ばねの押圧部は、保持フレームから屈曲部を介して延設されたアーム部に設けられ、屈曲部を介して延設されたアーム部がばね弾性を有し、ダイヤルノブの軸受部を押圧する。付勢板ばねは、収容部に収容されて係止されるため、移動が制止され、付勢板ばねは、アーム部のばね弾性によってダイヤルノブの軸受部を押圧するため、ダイヤルノブの回動操作時の遊びの発生が抑制される。これにより、使用者は、がたつき（遊び）がなく良好な操作フィーリングで、ダイヤルノブを回動操作することができる。
【００１４】
ここで、上記のノブ支軸には、前記円周壁の内側に区画壁が設けられ、
前記収容部が、該円周壁と該区画壁とで区画され形成された構成とすることができる。
【００１５】
また、上記付勢板ばねは、前記保持フレームの外側にコの字に屈曲して延設された前記区画壁を挟持する挟持部を有し、該挟持部と該保持フレームには該区画壁に掛止される逆止爪が設けられ、
該付勢板ばねは、前記収容部に収容された状態で、該保持フレームと該挟持部とにより該区画壁が挟持され、該区画壁の両側に該逆止爪が掛止された構成とすることができる。
【００１６】
これによれば、付勢板ばねの保持フレームと挟持部は、逆止爪によって区画壁を強固に挟持し、付勢板ばねのがたつきを防止して、ダイヤルノブを円滑に回動操作することができる。
【００１７】
また、前記付勢板ばねの前記保持フレームには、前記収容部の円周壁に掛止される逆止爪が設けられ、
該付勢板ばねは、該収容部に収容され、該逆止爪が該収容部の該円周壁に掛止されることによって嵌着された構成とすることができる。
【００１８】
これによれば、付勢板ばねの逆止爪が収容部の円周壁に掛止されることによって、付勢板ばねのがたつきを防止して、ダイヤルノブを円滑に回動操作することができる。
【００１９】
また、前記付勢板ばねの前記保持フレームには、前記区画壁側に切起された係止爪が設けられ、
該区画壁に、該係止爪を係止させる係止爪受が設けられた構成とすることが好ましい。
【００２０】
これによれば、付勢板ばねの係止爪が区画壁の係止爪受に係止されることによって、区画壁に対する付勢板ばねの取付位置と取付深さが一定となり、係止爪の係止により外れを防止することができる。
【００２１】
また、前記軸受部の内周面に、前記押圧部と係合するストッパー凹部が設けられた構成とすることが好ましい。これによれば、回動操作時に、付勢板ばねがストッパー凹部に係入した際、クリック感が指に伝わり、レジスタがダンパ閉止状態又はダンパ開放状態になったことを、使用者は節度感によって認識することができる。
【００２２】
また、前記付勢板ばねの前記アーム部は、前記保持フレームの外側から前記屈曲部を介して内側に傾斜して形成された構成とすることが好ましい。これによれば、ダイヤルノブ装置の組付け時、ノブ支軸にダイヤルノブの軸受部を嵌め込む際、ダイヤルノブの軸受部の内周面が付勢板ばねの傾斜したアーム部に接触しながら嵌め込まれるので、ダイヤルノブの軸受部が、付勢板ばねの縁側部に引っ掛かる不具合が防止され、ダイヤルノブの組付け作業性を改善することができる。
【発明の効果】
【００２３】
本発明のレジスタのダイヤルノブ装置によれば、使用者は、がたつき（遊び）がなく良好な操作フィーリングで、ダイヤルノブを回動操作することができる。
【図面の簡単な説明】
【００２４】
【図１】本発明の第１実施形態のレジスタの正面図である。
【図２】レジスタの斜視図である。
【図３】レジスタの後方斜視図である。
【図４】レジスタの分解斜視図である。
【図５】付勢板ばねの斜視図（ａ）、逆方向から見たその斜視図（ｂ）及びその側面図（ｃ）である。
【図６】ダイヤルノブの左側面図（ａ）、その斜視図（ｂ）、その正面図（ｃ）及びその右側面図（ｄ）である。
【図７】リテーナの左側面図である。
【図８】リテーナの斜後方から見た斜視図である。
【図９】付勢板ばねをノブ支軸に取付けた状態のリテーナの右側面図である。
【図１０】ダイヤルノブ、リンク部材及びダンパ支持軸を連結した状態の右側面図である。
【図１１】ダイヤルノブからダンパ支持軸の分解斜視図である。
【図１２】レジスタの左側面図である。
【図１３】ダンパ閉止状態の図１のＡ−Ａ断面図（ａ）及び図１のＢ−Ｂ断面図（ｂ）である。
【図１４】ダンパ開放状態の図１のＡ−Ａ断面図（ａ）及び図１のＢ−Ｂ断面図（ｂ）である。
【図１５】第２実施形態の付勢板ばねの斜視図（ａ）、逆から見た斜視図（ｂ）及び右側面図（ｃ）である。
【図１６】第２実施形態のノブ支軸の平面図（ａ）及びノブ支軸と付勢板ばねの斜視図（ｂ）である。
【図１７】第２実施形態の付勢板ばねを取付けた状態のノブ支軸の平面図（ａ）、その斜視図（ｂ）及び逆方向から見たその斜視図（ｃ）である。
【図１８】第２実施形態の付勢板ばねをノブ支軸に取付けた状態のリテーナの右側面図である。
【図１９】第２実施形態のレジスタの左側面図である。
【図２０】従来の板ばね部材を取付けたリテーナ側のノブ支軸とその部分拡大図である。
【発明を実施するための形態】
【００２５】
以下、本発明の一実施形態を図面に基づいて説明する。実施形態では、ダンパプレートを回動操作するためのレジスタのダイヤルノブ装置を例にとり説明するが、本発明はこれに限定されるものではなく、回動ルーバ又はバレルなどを回動操作するためのものであっても良い。なお、本明細書において、レジスタの各部の前後は、前が筐体の吹出口側で、後が吸入口側を意味する。
【００２６】
図１〜１４は、第１実施形態のレジスタを示しており、図３，図１２〜１４に示すように、このレジスタのダイヤルノブ装置１は、ダイヤルノブ３０が、軸受部３３及び軸受部３３と嵌合するノブ支軸２１を介して、リテーナ１２の一部に回動操作可能に軸支される。
【００２７】
軸受部３３はダイヤルノブ３０のボス部に設けられ、ノブ支軸２１はリテーナ１２の左側部に設けられる。ノブ支軸２１は、図７，８に示すように、外周面が軸受部３３と摺接する円周壁２２と、円周壁２２内に設けられ、軸受部３３を付勢する付勢板ばね４０が収容される収容部２３と、収容部２３を形成する円周壁２２の一部に開口した開口部２４と、を備える。
【００２８】
付勢板ばね４０は、図５に示すように、保持フレーム４１と、保持フレーム４１から屈曲部４２を介して延設されたアーム部４３と、アーム部４３先端に軸受部３３を押圧する押圧部４４と、を備える。また、付勢板ばね４０は、収容部２３に収容されて、保持フレーム４１が収容部２３内に係止保持され、押圧部４４が軸受部３３と接触可能に開口部２４から外側に突出する、構成となっている。
【００２９】
このダイヤルノブ装置を設けたレジスタは、図２〜４に示すように、略方形断面のダクト状で、内部に通風路１２ａを有したリテーナ１２と、リテーナ１２の前部に嵌着されるベゼル１１とを備え、図１３，１４に示すように、リテーナ１２内には通風路１２ａがベゼル１１の空気吹出口１１ａと連通して設けられる。空気吹出口１１ａの内側には、クロスフィン型の前可動ルーバ１３と後可動ルーバ１４が、フィンを相互に直交配置して配設される。
【００３０】
また、ベゼル１１の前面部には、図１，２に示すように、空気吹出口１１ａとともにダイヤルノブ用のノブ用開口部１１ｂが設けられ、ダンパ操作用のダイヤルノブ３０のダイヤル部３２がノブ用開口部１１ｂから露出している。
【００３１】
図３，図１３，１４に示すように、リテーナ１２内の通風路１２ａの後部に、送風を止め或は風量を調整するためのダンパプレート１８が、回動操作可能に配設される。ダンパプレート１８は、通風路１２ａを閉鎖可能な板状に形成され、周縁部にスポンジゴム等のゴム状シートからなるシール材が取着される。図３，４に示す如く、ダンパプレート１８はリテーナ１２の通風路１２ａ内で開閉回動するが、そのために、ダンパプレート１８の一側部に、軸支部１８ａが突設され、軸支部１８ａはリテーナ１２の側壁に設けた軸孔に回動可能に嵌入される。
【００３２】
一方、図４に示すように、リテーナ１２の壁部に、大径の孔部１２ｂが設けられ、レバー部１９ａを有した大径のダンパ支持軸１９が、外側からこの孔部１２ｂに嵌入され、ダンパプレート１８の他端部に設けた嵌着部１８ｂに、ダンパ支持軸１９の係止部１９ｃが嵌着される。これにより、ダンパプレート１８は、ダンパ支持軸１９と軸支部１８ａとによって、リテーナ１２の両側の側壁部で回動可能に支持され、ダンパ支持軸１９と共に回動可能に支持される。
【００３３】
また、図３に示すように、リテーナ１２の側壁部には、棒状のばね線材１９ｂがダンパ支持軸１９の周面に弾性接触するように取り付けられ、ダンパ支持軸１９のガタツキを防止している。ダンパプレート１８は、その縁部にスポンジシート等の軟質縁部が取着され、閉鎖時にはその軟質縁部を通風路１２ａの内周面に接触させて、密閉性を良好にしている。
【００３４】
図１，２に示すように、リテーナ１２前部のベゼル１１とリテーナ１２との間に、前可動ルーバ１３が配設され、前可動ルーバ１３の後方（上流側）に後可動ルーバ１４が配設される。前可動ルーバ１３は、３本の前フィン１３ａを略横方向（水平方向）に間隔をおいて配置し、各前フィン１３ａは、左右に配設した軸受部に対し、両側の軸を介して回動可能に保持される。
【００３５】
また、各前フィン１３ａの一端に突設された偏心軸には、図示しない１本のリンクバーが連結され、全ての前フィン１３ａが同期してその向きを上下に変え得る構造となっている。さらに、図１，２，４に示すように、中央の前フィン１３ａには、スライドノブ１５が左右に摺動可能に外嵌され、スライドノブ１５に指を当てて前可動ルーバ１３を上下に傾動させるとともに、左右方向にスライドさせて、後述の後可動ルーバ１４を左右に傾動させるようになっている。
【００３６】
後可動ルーバ１４は、図１，２，４に示す如く、５本の後フィン１４ａを縦方向に、間隔をおいて配置し、各後フィン１４ａは上下に配設した軸受部に対し、上下の軸を介して回動可能に保持される。また、各後フィン１４ａの一端に突設された偏心軸に、図示しない１本のリンクバーが連結され、全ての後フィン１４ａが同期してその向きを左右に変え得る構造となっている。
【００３７】
後可動ルーバ１４には、１本の後フィン１４ａの前部に、係合軸部や歯車部などの連係部が設けられ、スライドノブ１５の後部に設けた係合脚部、ラック部などの被連係部と係合し、スライドノブ１５を左右方向に摺動させたとき、後可動ルーバ１４の後フィン１４ａの向きを左右に調整する構造となっている。
【００３８】
これにより、スライドノブ１５は、その上下の回動操作により、前可動ルーバ１３の各前フィン１３ａの向きを上または下に調整し、スライドノブ１５の左右方向の摺動操作により、係合部を介して後可動ルーバ１４の後フィン１４ａの左右方向を左または右に調整する。
【００３９】
図３に示すように、通風路１２ａ内に配設されたダンパプレート１８を開閉操作させるために、ダイヤルノブ３０が、リテーナ１２の前部の左側面に突設されたノブ支軸２１に嵌め込まれ、回動操作可能に軸支される。図１に示す如く、ダイヤルノブ３０はノブ本体３１の前部に、半円状のダイヤル部３２を有し、ダイヤル部３２は、装着された状態で、ベゼル１１の左側に設けたノブ用開口部１１ｂから前面に突出または露出する。
【００４０】
ダイヤルノブ３０には、図６に示すように、略円板状のノブ本体３１の中央に軸受部３３が設けられ、軸受部３３の内周面３４には、後述する付勢板ばね４０の押圧部４４と係合するストッパー凹部３５が設けられている。
【００４１】
ノブ本体３１は、ダイヤル部３２を含めて略円形枠状に形成され、ダイヤル部３２と反対側にレバーリンク部３６が突設される。図３，図１０〜１４に示すように、レバーリンク部３６の先端にはリンク部材１７が連結され、リンク部材１７の他端はダンパプレート１８のダンパ支持軸１９のレバー部１９ａと連結される。これにより、ダイヤルノブ３０を回動操作したとき、レバーリンク部３６、リンク部材１７、及びレバー部１９ａを介して、ダンパプレート１８が回動し、通風路１２ａを開閉する構造となっている。
【００４２】
ダイヤルノブ３０を取り付ける場合、リテーナ１２側に突設したノブ支軸２１を軸受部３３に嵌入するようにして、ダイヤルノブ１０が回動操作可能に取り付けられる。
【００４３】
図７，８に示すように、リテーナ１２の側壁に設けたノブ支軸２１は、外周面が軸受部３３と摺接する円周壁２２と、円周壁２２の内側に設けられた区画壁２６と、円周壁２２と区画壁２６とで区画され形成された収容部２３と、収容部２３を形成する円周壁２２の一部に開口した開口部２４と、区画壁に後述する係止爪４５を係止させる係止爪受２７と、が設けられている。ノブ支軸２１は、ダイヤルノブ３０の軸受部３３に、ダイヤルノブ３０が回動可能に嵌入される。
【００４４】
図１２〜１４に示すように、ダイヤルノブ３０のノブ本体３１の中央ボス部には、円環状の軸受部３３が設けられ、軸受部３３の内径は、ノブ支軸２１の外径よりわずかに大きく形成される。軸受部３３の内周面３４は、ダイヤルノブ３０の軸受部３３がノブ支軸２１の外周部に嵌着されると、ノブ支軸２１の収容部２３に収納された付勢板ばね４０の押圧部４４が接触し、適度な摩擦抵抗により、ダイヤルノブ３０は、良好な操作荷重を付与されて、回動操作可能に取り付けられる。
【００４５】
さらに、図６に示すように、ノブ本体３１の軸受部３３の内周面３４には、所定の２箇所の角度位置（ダイヤルノブ３０をダンパ開放位置及びダンパ閉鎖位置に操作したときの角度位置）に、押圧部４４と係合するストッパー凹部３５が設けられる。
【００４６】
付勢板ばね４０は、図５に示す如く、帯状金属板のばね本体を曲折して形成され、保持フレーム４１と、保持フレーム４１から屈曲部４２介して延設されたアーム部４３と、アーム部４３先端に軸受部３３を押圧する押圧部４４と、が設けられている。これにより、図８，９に示すように、付勢板ばね４０は、収容部２３に収容され、図１０に示すように、付勢板ばね４０の押圧部４４は、保持フレーム４１から屈曲部４２を介して延設されたアーム部４３に備えられ、屈曲部４２を介して延設されたアーム部４３が付勢ばねとなり、軸受部３３を押圧する。付勢板ばね４０は、収容部２３に収容されているため移動が制止され、付勢板ばね４０は、アーム部４３のばね弾性によってダイヤルノブ３０の軸受部３３を押圧するため、ダイヤルノブ３０の回動操作時の遊びの発生が抑制される。これにより、使用者は、がたつき（遊び）がなく良好な操作フィーリングでダイヤルノブ３０を回動操作することができる。
【００４７】
付勢板ばね４０は、図５，９に示すように、保持フレーム４１の外側にコの字に屈曲して延設された区画壁２６を挟持する挟持部４７を有し、挟持部４７と保持フレーム４１には区画壁２６に掛止される逆止爪４６が設けられている。これにより、付勢板ばね４０の保持フレーム４１と挟持部４７は、逆止爪４６によって区画壁２６を強固に挟持し、付勢板ばね４０のがたつきを防止して、ダイヤルノブ３０を円滑に回動操作することができる。
【００４８】
保持フレーム４１には、区画壁２６側に切起された係止爪４５が設けられ、区画壁２６には、対応位置に係止爪受２７が開口形成されている。これにより、図８に示す如く、付勢板ばね４０を区画壁２６に取付ける際、付勢板ばね４０を所定の位置と深さまで押し込むと、係止爪４５が係止爪受２７に嵌入し、係止爪４５が区画壁２６の係止爪受２７に係止される。これにより、付勢板ばね４０は、安定した一定位置に取付けられ、区画壁２６から外れることが確実に防止される。
【００４９】
付勢板ばね４０は、図９に示すように、押圧部４４がダイヤルノブ３０の軸受部３３と接触可能にノブ支軸２１の開口部２４から外側に突出し、アーム部４３が保持フレーム４１の外側から屈曲部４２を介して内側に傾斜して形成されている。これにより、ダイヤルノブ装置１の組付け時、ノブ支軸２１にダイヤルノブ３０の軸受部３３を嵌め込む際、ダイヤルノブ３０の軸受部３３の内周面３４が付勢板ばね４０の傾斜したアーム部４３に接触しながら嵌め込まれるので、ダイヤルノブ３０の軸受部３３が、付勢板ばね４０の縁側部に引っ掛かる不具合が防止され、ダイヤルノブ３０の組付け作業性は良好となる。
【００５０】
このような形状の付勢板ばね４０は、上記のように、ノブ支軸２１の内側に設けた収容部２３内に挿入され、区画壁２６に嵌着される。このとき、付勢板ばね４０の挟持部４７と保持フレーム４１とにより区画壁２６が挟持され、挟持部４７と保持フレーム４１とに設けた逆止爪４６が区画壁２６の両側に掛止され、さらに、係止爪４５が係止爪受２７に係止される。その状態で、ダイヤルノブ３０の装着時には、付勢板ばね４０のアーム部４３の先端の押圧部４４がダイヤルノブ３０の軸受部３３側を向き、その押圧部４４が軸受部３３の内周面３４に接触する。
【００５１】
図１２〜１４に示すように、ダイヤルノブ３０の軸受部３３の内周面３４には、ダンパプレート１８の開放位置と閉鎖位置にストッパー凹部３５が設けられる。これにより、ダイヤルノブ３０をダンパ開放位置まで操作したとき、付勢板ばね４０の押圧部４４が内周面３４のストッパー凹部３５に係合し、同様に、ダイヤルノブ３０をダンパ閉鎖位置まで操作したとき、付勢板ばね４０の押圧部４４が内周面３４のストッパー凹部３５に係合し、ダンパプレート１８の閉鎖位置と開放位置で適度な節度感が得られる構造である。
【００５２】
レジスタの組み立て時、ダイヤルノブ３０をリテーナ１２に取り付ける場合、先ず、図８，９に示すように、付勢板ばね４０を、リテーナ１２の側壁に設けたノブ支軸２１の収容部２３内に挿入し、付勢板ばね４０の挟持部４７と保持フレーム４１とにより区画壁２６を挟持させながら差し込む。これにより、挟持部４７と保持フレーム４１とに設けた逆止爪４６が区画壁２６の両側を挟持して係止され、且つ、所定の深さまで付勢板ばね４０が差し込まれると、係止爪４５が係止爪受２７に係合して、付勢板ばね４０が定位置に取り付けられる。次に、付勢板ばね４０を取付けたノブ支軸２１に対し、ダイヤルノブ３０の軸受部３３を嵌め込む。
【００５３】
このとき、ダイヤルノブ３０の軸受部３３の内周面３４は、ノブ支軸２１の円周壁２２に摺接しながら嵌入され、軸受部３３の内周面３４が、アーム部４３により内側に誘導される。これにより、ダイヤルノブ１０の軸受部３３は、アーム部４３に引っ掛かることはなく、ノブ支軸２１の円周壁２２に、回動可能に嵌入される。この状態で、ノブ支軸２１の円周壁２２内の収容部２３に取り付けた付勢板ばね４０の押圧部４４は、ダイヤルノブ３０の軸受部３３の内周面３４或いはストッパー凹部３５に接触する。
【００５４】
一方、ダンパプレート１８は、図４に示す如く、リテーナ１２の通風路１２ａ内に、その端部に設けた軸支部１８ａを内側から嵌めるように挿入され、リテーナ１２の側壁の孔部１２ｂから、ダンパ支持軸１９の係止部１９ｃを挿入し、ダンパプレート１８の嵌着部１８ｂに外側から嵌着させて、ダンパプレート１８が通風路１２ａ内に取り付けられる。これにより、ダンパプレート１８は、軸支部１８ａとダンパ支持軸１９とによって、通風路１２ａ内で上下に回動可能に軸支される。
【００５５】
次に、図１０〜１４に示すように、ダイヤルノブ３０のレバーリンク部３６とダンパプレート１８のダンパ支持軸１９のレバー部１９ａ間に、リンク部材１７が連結される。これにより、図１３に示すように、ダイヤルノブ３０のダイヤル部３２を下側に回動させたとき、ダンパプレート１８が通風路１２ａを閉鎖するように回動し、図１４に示すように、ダイヤルノブ３０のダイヤル部３２を上側に回動させたとき、ダンパプレート１８が通風路１２ａを開放するように回動する。このダンパプレート１８の閉鎖時と開放時には、ダイヤルノブ３０の内周面のストッパー凹部３５が、ノブ支軸２１内の付勢板ばね４０の押圧部４４に係合し、ダイヤルノブ３０を回動操作する使用者には、適度なクリック感（節度感）が閉鎖時と開放時に生じることとなる。
【００５６】
上記構成のダイヤルノブ装置１を備えたレジスタは、自動車の車内のインストルメントパネルやダッシュボードの部分に、そのリテーナ１２の末端を図示しない通風ダクトに接続するようにして装着される。通風ダクトから送られる空気は、リテーナ１２内の通風路１２ａから空気吹出口１１ａを通して吹き出される。
【００５７】
空気の吹出向きを上または下に調整する場合、スライドノブ１５を上または下に操作すると、前可動ルーバ１３の前フィン１３ａが回動して、その向きが上下に変化し、空気の吹出方向が上下に調整される。
【００５８】
空気の吹出向きを左右に調整する場合、スライドノブ１５を右または左に摺動操作すると、後可動ルーバ１４の後フィン１４ａが、その上下の回動軸を軸に回動し、その左右の向きが所定の角度範囲で変化し、空気の吹出方向が左右に調整される。
【００５９】
送風を止めまたは絞り或は逆に通風路１２ａを開く場合、ベゼル１１の正面左側のダイヤルノブ３０を指などで上または下に押して回動させる。このとき、ダイヤルノブ３０はノブ支軸２１を軸に回動し、その回動力がリンク部材１７を介してダンパプレート１８に伝達される。
【００６０】
ダイヤルノブ３０の回動操作時、ダイヤルノブ３０の軸受部３３の内周面３４がノブ支軸２１内の付勢板ばね４０の押圧部４４に接触するため、接触による摩擦抵抗が安定して発生し、これにより、ダイヤルノブ３０の回動操作には、適度な操作荷重が安定して付与されることとなる。
【００６１】
ダイヤルノブ３０の回動力は、そのレバーリンク部３６からリンク部材１７、レバー部１９ａ、及びダンパ支持軸１９を介してダンパプレート１８に伝達される。これにより、図１３に示すように、ダイヤルノブ３０を下側に回動操作したとき、ダンパプレート１８は、通風路１２ａの閉鎖方向に回動し、その閉鎖位置で、ダイヤルノブ３０の内周面の一方のストッパー凹部３５が、ノブ支軸２１内の付勢板ばね４０の押圧部４４と係合するので、使用者には、ダンパ閉鎖時、良好な節度感が得られることとなる。
【００６２】
また、図１４に示すように、ダイヤルノブ３０を上側に回動操作したとき、ダンパプレート１８は、通風路１２ａの開放方向に回動し、その開放位置で、ダイヤルノブ３０の内周面の他方のストッパー凹部３５が、ノブ支軸２１内の付勢板ばね４０の押圧部４４と係合するので、使用者には、ダンパ開放時に良好な節度感が得られることとなる。
【００６３】
このように、付勢板ばね４０は、収容部２３に収容され、付勢板ばね４０の押圧部４４は、保持フレーム４１から屈曲部４２を介して延設されたアーム部４３に備えられ、屈曲部４２を介して延設されたアーム部４３が付勢ばねとなり、軸受部３３を押圧する。付勢板ばね４０は、収容部２３に収容されているため移動が制止され、付勢板ばね４０は、アーム部４３のばね弾性によってダイヤルノブ３０の軸受部３３を押圧するため、ダイヤルノブ３０の回動操作時の遊びの発生が抑制される。これにより、使用者は、がたつき（遊び）がなく良好な操作フィーリングでダイヤルノブ３０を回動操作することができる。
【００６４】
なお、上記実施形態では、ダンパプレート１８の操作用にダイヤルノブ３０を使用した例を説明したが、前可動ルーバ、後可動ルーバの回動操作用に、本発明のダイヤルノブ装置を使用することもできる。
【００６５】
図１５〜１７は第２実施形態のレジスタを示している。このレジスタのダイヤルノブ装置２は、付勢板ばねの構成と付勢板ばねの収容部への収容状態とが、第１実施形態のダイヤルノブ装置１のものと異なる。
【００６６】
ダイヤルノブ装置２の付勢板ばね７０は、図１５に示すように、帯状金属板のばね本体を曲折して形成され、保持フレーム７１と、保持フレーム７１から屈曲部７２介して延設されたアーム部７３と、アーム部７３先端に押圧部７４と、を備えている。付勢板ばね７０は、組付け時、図１８に示すように、収容部２３に収容され、保持フレーム７１の両側に設けた逆止爪７６が収容部２３内の内壁２５に係止され、所定位置に取付けられる。付勢板ばね７０の押圧部７４は、保持フレーム７１から屈曲部７２を介して延設されたアーム部７３に設けられ、屈曲部７２を介して延設されたアーム部７３が付勢ばねとなり、ダイヤルノブ３０の軸受部３３を押圧する。付勢板ばね７０は、収容部２３に収容され、その位置が保持されるため、付勢板ばね７０は、アーム部７３のばね弾性によって、ダイヤルノブ３０の軸受部３３から押圧力を受けて定位置に保持され、これにより、ダイヤルノブ３０の回動操作時の遊びの発生が抑制される。このため、使用者は、がたつき（遊び）がなく良好な操作フィーリングでダイヤルノブ３０を回動操作することができるようになっている。
【００６７】
すなわち、付勢板ばね７０は、図１５，１８に示すように、付勢板ばね７０の保持フレーム７１の両側には、収容部２３の円周壁２２に掛止される逆止爪７６がアーム部７３側に切り越すように設けられている。図１８に示すように、付勢板ばね７０は、組付け時、収容部２３に収容され、保持フレーム７１が区画壁２６に当接し、逆止爪７６が収容部２３の内壁２５（円周壁２２）に掛止される。これにより、付勢板ばね７０は逆止爪７６が収容部２３の円周壁２２に係止され、且つ、保持フレーム７１が区画壁２６に当接することによって、がたつきが防止され、ダイヤルノブ３０を円滑に回動操作することができる。
【００６８】
付勢板ばね７０の保持フレーム７１には、区画壁２６側に切起された係止爪７５が設けられ、区画壁２６には、対応位置に係止爪受２７が開口形成されている。付勢板ばね７０を収容部２３に取付ける際、付勢板ばね７０を所定の位置と深さまで押し込むと、係止爪７５が係止爪受２７に嵌入し、係止爪７５が区画壁２６の係止爪受２７に係止される。これにより、付勢板ばね７０は、安定した一定位置に取付けられ、収容部２３から外れることが確実に防止される。
【００６９】
図１８に示すように、収容部２３に収容された付勢板ばね７０の押圧部７４は、ダイヤルノブ３０の軸受部３３と接触可能にノブ支軸２１の開口部２４から外側に突出し、アーム部７３は保持フレーム７１の外側から屈曲部７２を介して内側に傾斜して形成される。これにより、ダイヤルノブ装置２の組付け時、ノブ支軸２１にダイヤルノブ３０の軸受部３３を嵌め込む際、ダイヤルノブ３０の軸受部３３の内周面３４が付勢板ばね７０の傾斜したアーム部７３に接触しながら嵌め込まれるので、ダイヤルノブ３０の軸受部３３が、付勢板ばね７０の縁側部に引っ掛かる不具合が防止され、ダイヤルノブ３０の組付け作業性は良好となる。
【符号の説明】
【００７０】
１，２…ダイヤルノブ装置、１１…ベゼル、１１ａ…空気吹出口、１１ｂ…ノブ用開口部、１２…リテーナ、１２ａ…通風路、１２ｂ…孔部、１３…前可動ルーバ、１３ａ…前フィン、１４…後可動ルーバ、１４ａ…後フィン、１５…スライドノブ、１７…リンク部材、１８…ダンパプレート、１８ａ…軸支部、１８ｂ…嵌着部、１９…ダンパ支持軸、１９ａ…レバー部、１９ｂ…ばね線材、２１…ノブ支軸、２２…円周壁、２３…収容部、２４…開口部、２５…内壁、２６…区画壁、２７…係止爪受、３０…ダイヤルノブ、３１…ノブ本体、３２…ダイヤル部、３３…軸受部、３４…内周面、３５…ストッパー凹部、３６…レバーリンク部、４０，７０…付勢板ばね、４１，７１…保持フレーム、４２，７２…屈曲部、４３，７３…アーム部、４４，７４…押圧部、４５，７５…係止爪、４６，７６…逆止爪、４７…挟持部。
【図１】
2017193228.tif 000003
【図２】
2017193228.tif 000004
【図３】
2017193228.tif 000005
【図４】
2017193228.tif 000006
【図５】
2017193228.tif 000007
【図６】
2017193228.tif 000008
【図７】
2017193228.tif 000009
【図８】
2017193228.tif 000010
【図９】
2017193228.tif 000011
【図１０】
2017193228.tif 000012
【図１１】
2017193228.tif 000013
【図１２】
2017193228.tif 000014
【図１３】
2017193228.tif 000015
【図１４】
2017193228.tif 000016
【図１５】
2017193228.tif 000017
【図１６】
2017193228.tif 000018
【図１７】
2017193228.tif 000019
【図１８】
2017193228.tif 000020
【図１９】
2017193228.tif 000021
【図２０】
2017193228.tif 000022